(57)【要約】【課題】良好な視界を確保する生体情報取得装置を提供する。【解決手段】ディスプレイフレーム１０は、ディスプレイ４１及び４２の外縁に配置され、ディスプレイ４１及び４２を保持する。支持アームは、ディスプレイフレーム１０に接続される。赤外線ＬＥＤ１１０，１２０，２１０及び２２０は、ディスプレイフレーム１０又は支持アーム上に配置される。反射鏡１１１，１１２，１２１，１２２，２１１，２１２，２２１及び２２２は、ディスプレイフレーム１０上に配置され、赤外線ＬＥＤ１１０，１２０，２１０及び２２０から照射された光を反射する。カメラ１３０及び２３０は、反射鏡１１１，１１２，１２１，１２２，２１１，２１２，２２１及び２２２により反射された光が照射された領域の画像を取得する。【選択図】図１
2017116768.tif 000002
【特許請求の範囲】
【請求項１】
表示部と、
前記表示部の外縁に配置され、前記表示部を保持するフレームと、
前記フレームに接続された支持部と、
前記フレーム又は前記支持部上に配置された光源と、
前記フレーム上に配置され、前記光源から照射された光を反射する反射部材と、
前記反射部材により反射された光が照射された領域の画像を取得する画像取得部と
を備えたことを特徴とする生体情報取得装置。
【請求項２】
前記反射部材は、前記表示部における前記反射部材が配置された側の前記表示部から所定距離離れた位置において、反射光の照射領域が接触もしくは重なるように配置されることを特徴とする請求項１に記載の生体情報取得装置。
【請求項３】
前記フレームは、少なくとも前記表示部の外縁から前記表示部を挟む枠部材を有し、
前記反射部材は、前記枠部材の前記表示部を挟む場所のそれぞれに配置されることを特徴とする請求項１又は２に記載の生体情報取得装置。
【請求項４】
前記枠部材は、前記表示部を少なくとも２カ所で挟むように２対配置され、
前記反射部材は、各前記対に含まれる前記表示部を挟む前記枠部材それぞれに２つずつ組で配置されることを特徴とする請求項３に記載の生体情報取得装置。
【請求項５】
前記光源は、各前記組の前記反射部材の並ぶ方向に、前記反射部材に並べて前記表示部の外縁近傍に配置されることを特徴とする請求項４に記載の生体情報取得装置。
【発明の詳細な説明】
【技術分野】
【０００１】
本発明は、生体情報取得装置に関する。
【背景技術】
【０００２】
近年、腕や頭部などの身体に装着して利用する端末装置であるウェアラブルデバイスの利用が盛んになってきている。そのウェアラブルデバイスの一つとして、頭部に装着されるヘッドマウントディスプレイが知られている。
【０００３】
ヘッドマウントディスプレイとは、例えば、液晶パネルなどのディスプレイ上に表示された映像を、接眼レンズやハーフミラーなどを有する光学系を介して拡大して装着者の視界内に表示する装置である。
【０００４】
ヘッドマウントディスプレイには、多様なコンテンツが表示される表示面に対するユーザの視線を検出し、検出した視線を各種動作に利用する生体情報取得装置として用いられるものが存在する。他にも、生体情報取得装置としてヘッドマウントディスプレイを使用する技術として、ヘッドマウントディスプレイに虹彩認証の機能を搭載した従来技術が存在する。そのようなヘッドマウントディスプレイを利用した生体情報取得装置では、視線検出や虹彩認証のための赤外線ＬＥＤ（Light  Emitting  Diode）が搭載されることが一般的である。
【０００５】
ところで、視線検出や虹彩認証のためのヘッドマウントディスプレイは、メガネ型をしている場合がある。メガネ型のヘッドマウントディスプレイにおいて、視線検出や虹彩認証のための赤外線ＬＥＤは、メガネレンズを囲うフレーム上に実装される場合が多い。
【０００６】
なお、メガネ型でメガネレンズ上に映像を表示する技術として、レンズ上のホログラムシートに直接レーザダイオードの光を照射して映像を表示する従来技術がある。
【先行技術文献】
【特許文献】
【０００７】
【特許文献１】特開２００４−２３６１０１号公報
【特許文献２】特開平１０−３０１０５５号公報
【発明の概要】
【発明が解決しようとする課題】
【０００８】
しかしながら、メガネ型のヘッドマウントディスプレイを用いた生体情報取得装置において、メガネレンズを囲うフレーム上に赤外線ＬＥＤを実装した場合、フレームが太くなり視界を妨げるおそれがある。特に、従来の実装方法では、赤外線ＬＥＤは、視線検知や虹彩認証用のカメラに対し、死角が発生しないように多数実装される。
【０００９】
例えば、図６は、従来技術における１つの光源からの光の照射範囲を説明するための図である。また、図７は、従来技術における２つの光源からの光の照射範囲を説明するための図である。
【００１０】
フレーム上に配置する赤外線ＬＥＤ９０１はサイズが小さいため、照射範囲が狭くなる。そのため、図６のように赤外線ＬＥＤ９０１を１つ配置した場合、カメラ９０２の撮影範囲において赤外線ＬＥＤ９０１の照射した光が届かない光の照射の死角９０３が発生してしまう。そのため、状態９１のように瞳がカメラ９０２に対して正面を向いている場合であっても、赤外線ＬＥＤ９０１を１つ配置した場合には、瞳の一部が死角９０３に入ってしまい、カメラ９０２は適切な撮影を行うことが困難となる。また、状態９２のように瞳が横を向いてしまっている場合、瞳の全体が死角９０３に入ってしまうおそれがあり、このような状態では、カメラ９０２は適切な撮影を行うことがより困難となる。
【００１１】
そこで、光の照射の死角を無くすために、図７のように、赤外線ＬＥＤ９０１が目の横方向に並べて２つ配置される。これにより、状態９３のように瞳がカメラ９０２に対して正面を向いている場合であっても、状態９４のように瞳が横を向いている場合であっても、光の照射の死角が発生せず、カメラ９０２は適切な撮影を行うことができる。
【００１２】
このように、光の照射の死角をなくすために多数の赤外線ＬＥＤをフレーム上に実装した場合、視界を妨げる領域が広くなり、良好な視界を確保することが困難となる。
【００１３】
なお、直接映像をレンズ上に表示する従来技術では、視線検出や虹彩認証といった生体情報取得については考慮されておらず、この従来技術を用いてもレンズを囲うフレーム上に赤外線ＬＥＤを実装した場合に良好な視界を確保することは困難である。
【００１４】
開示の技術は、上記に鑑みてなされたものであって、良好な視界を確保する生体情報取得装置を提供することを目的とする。
【課題を解決するための手段】
【００１５】
本願の開示する生体情報取得装置は一つの態様において、表示部、フレーム、支持部、光源及び画像取得部を備える。フレームは、前記表示部の外縁に配置され、前記表示部を保持する。支持部は、前記フレームに接続される。光源は、前記フレーム又は前記支持部上に配置される。反射部材は、前記フレーム上に配置され、前記光源から照射された光を反射する。画像取得部は、前記反射部材により反射された光が照射された領域の画像を取得する。
【発明の効果】
【００１６】
本願の開示する生体情報取得装置の一つの態様によれば、良好な視界を確保することができるという効果を奏する。
【図面の簡単な説明】
【００１７】
【図１】図１は、実施例１に係るヘッドマウントディスプレイの正面図である。
【図２】図２は、実施例１に係るヘッドマウントディスプレイを装着した状態の利用者を頭方向から見た図である。
【図３】図３は、実施例１に係るヘッドマウントディスプレイを用いた場合の光の照射状態を示す図である。
【図４】図４は、実施例２に係るヘッドマウントディスプレイの正面図である。
【図５】図５は、実施例３に係るヘッドマウントディスプレイの正面図である。
【図６】図６は、従来技術における１つの光源からの光の照射範囲を説明するための図である。
【図７】図７は、従来技術における２つの光源からの光の照射範囲を説明するための図である。
【発明を実施するための形態】
【００１８】
以下に、本願の開示する生体情報取得装置の実施例を図面に基づいて詳細に説明する。なお、以下の実施例により本願の開示する生体情報取得装置が限定されるものではない。
【実施例１】
【００１９】
図１は、実施例１に係るヘッドマウントディスプレイの正面図である。また、図２は、実施例１に係るヘッドマウントディスプレイを装着した状態の利用者を頭方向から見た図である。ここで、図１及び２では、ヘッドマウントディスプレイの構造を分かり易くするため、フレームの反対側や内部に配置された部材を透過させて表している。
【００２０】
ヘッドマウントディスプレイ１は、図１及び２に示すように、メガネ型をしている。そして、ヘッドマントディスプレイ１は、図１に示すように、ディスプレイ４１及び４２、並びに、ディスプレイフレーム１０を有する。また、図２に示すように、ヘッドマウントディスプレイ１は、支持アーム１１及び１２を有する。
【００２１】
さらに、ここでは、左目Ｐ１から右目Ｐ２に向かう方向を「Ｘ方向」とし、右目Ｐ１から左目Ｐ２に向かう方向を「逆Ｘ方向」とする。また、利用者がヘッドマウントディスプレイ１を装着した場合の顔面から後頭部へ向かう方向を「Ｙ方向」とし、後頭部から顔面へ向かう方向を「逆Ｙ方向」とする。また、利用者がヘッドマウントディスプレイ１を装着した場合の足から頭へ向かう方向をＺ方向とし、頭から足へ向かう方向を「逆Ｚ方向」とする。
【００２２】
ディスプレイ４１は左目Ｐ１に対応する画像表示装置であり、ディスプレイ４２は右目Ｐ２に対応する画像表示装置である。本実施例では、ディスプレイ４１及び４２は、透過型のディスプレイである。ただし、ディスプレイ４１及び４２は、非透過型のディスプレイであってもよい。また、本実施例では、ヘッドマウントディスプレイ１は、２つの分離したディスプレイ４１及び４２を有するが、これに限らず、例えば、左目Ｐ１及び右目Ｐ２を覆う１つのディスプレイであってもよい。また、ヘッドマウントディスプレイ１は、一方の目にのみ対応する表示部を有する構造でもよい。さらに、ヘッドマウントディスプレイ１は、ヘルメット型でもよい。このディスプレイ４１及び４２が、「表示部」の一例にあたる。
【００２３】
ディスプレイフレーム１０は、ディスプレイ４１及び４２の外周を囲むように配置され、ディスプレイ４１及び４２を挟持する。この、ディスプレイフレーム１０によるディスプレイ４１及び４２の挟持が、「表示部の外縁に配置され、表示部を保持する」ことの一例にあたる。
【００２４】
ディスプレイフレーム１０は、図２に示すように、ディスプレイ４１に対するディスプレイ４２と反対側の端部、すなわち逆Ｘ方向の端部で、軸２１により支持アーム１１にヒンジ運動可能に接続されている。また、ディスプレイフレーム１０は、ディスプレイ４２側に対するディスプレイ４１と反対側の端部、すなわちＸ方向の端部で、軸２２により支持アーム１２にヒンジ運動可能に接続されている。
【００２５】
ディスプレイフレーム１０は、図１で示された面の裏側の面、すなわち、利用者が装着した場合の顔側の面（以下では、「内側面」という）に、反射鏡１１１，１１２，１２１，１２２，２１１，２１２，２２１及び２２２が配置される。さらに、ディスプレイフレーム１０は、内側面にはカメラ１３０及び２３０が配置される。このディスプレイフレーム１０における反射鏡１１１，１１２，１２１，１２２，２１１，２１２，２２１及び２２２が配置された部分が、「枠部材」の一例にあたる。
【００２６】
支持アーム１１及び１２は、ディスプレイフレーム１０にヒンジ運動可能に接続される。支持アーム１１及び１２は、開いた状態で、利用者の耳に掛かりディスプレイフレーム１０を支持する部材である。支持アーム１１には、図２に示すように電気回路３０が搭載される。
【００２７】
支持アーム１１には、利用者が装着した場合の顔側のディスプレイフレーム１０との接続部近傍に、赤外線ＬＥＤ１１０及び１２０が配置される。同様に、支持アーム１２には、利用者が装着した場合の顔側のディスプレイフレーム１０との接続部近傍に、赤外線ＬＥＤ２１０及び２２０が配置される。この支持アーム１１及び１２が、「支持部」の一例にあたる。
【００２８】
赤外線ＬＥＤ１１０及び１２０は、左目Ｐ１に光を照射するための光源である。赤外線ＬＥＤ１１０及び１２０は、支持アーム１１における利用者が装着した場合の顔側のディスプレイフレーム１０との接続部近傍に配置される。
【００２９】
詳しくは、赤外線ＬＥＤ１１０は、逆Ｘ方向の端部であってＺ方向の端部近傍に配置される。そして、赤外線ＬＥＤ１１０は、逆Ｙ方向に角度を付けてＸ方向に向けて、後述する反射鏡１１１及び１１２で光が反射されるように赤外線を照射する。
【００３０】
また、赤外線ＬＥＤ１２０は、逆Ｘ方向の端部であって逆Ｚ方向の端部近傍に配置される。そして、赤外線ＬＥＤ１２０は、赤外線ＬＥＤ１１０と同様に、逆Ｙ方向に角度を付けてＸ方向に向けて、後述する反射鏡１２１及び１２２で光が反射されるように赤外線を照射する。
【００３１】
また、赤外線ＬＥＤ２１０及び２２０は、右目Ｐ２に光を照射するための光源である。赤外線ＬＥＤ２１０及び２２０は、支持アーム１２における利用者が装着した場合の顔側のディスプレイフレーム１０との接続部近傍に配置される。
【００３２】
詳しくは、赤外線ＬＥＤ２１０は、Ｘ方向の端部であってＺ方向の端部近傍に配置される。そして、赤外線ＬＥＤ２１０は、逆Ｙ方向に角度を付けて逆Ｘ方向に向けて、後述する反射鏡２１１及び２１２で光が反射されるように赤外線を照射する。
【００３３】
また、赤外線ＬＥＤ２２０は、Ｘ方向の端部であって逆Ｚ方向の端部近傍に配置される。そして、赤外線ＬＥＤ２２０は、逆Ｙ方向に角度を付けて逆Ｘ方向に向けて、後述する反射鏡２２１及び２２２で光が反射されるように赤外線を照射する。この赤外線ＬＥＤ１１０，１２０，２１０及び２２０が、「光源」の一例にあたる。
【００３４】
反射鏡１１１，１１２，１２１，１２２，２１１，２１２，２２１及び２２２は、図１に示すように、ディスプレイフレーム１０の内側面に配置される。反射鏡１１１及び１１２は、赤外線ＬＥＤ１１０から照射された光を反射して左目Ｐ１に照射するための鏡である。また、反射鏡１２１及び１２２は、赤外線ＬＥＤ１２０から照射された光を反射して左目Ｐ１に照射するための鏡である。また、反射鏡２１１及び２１２は、赤外線ＬＥＤ２１０から照射された光を反射して右目Ｐ２に照射するための鏡である。また、反射鏡２２１及び２２２は、赤外線ＬＥＤ２２０から照射された光を反射して右目Ｐ２に光を照射するための鏡である。
【００３５】
より詳しくは、反射鏡１１１及び１１２は、ディスプレイフレーム１０のＺ方向の端部に、左目Ｐ１が間に位置するように配置される。反射鏡１１１は、図２に示すように、赤外線ＬＥＤ１１０が照射した光の入射角及び反射角がθ１となるように配置される。また、反射鏡１１２は、赤外線ＬＥＤ１１０が照射した光の入射角及び反射角がθ２となるように配置される。ここで、θ１及びθ２は、左目Ｐ１へ照射された光にＸ方向及び逆Ｘ方向の死角ができないように決定される。例えば、θ１は２８度に設定され、θ２は６６度に設定される。
【００３６】
このように配置することで、図３に示すように光が左目Ｐ１に照射される。図３は、実施例１に係るヘッドマウントディスプレイを用いた場合の光の照射状態を示す図である。状態５１は、瞳が後述するカメラ１３０に対して正面を向いている状態を表す。また、状態５２は、瞳が横を向いている状態を表す。図３の状態５１及び５２に示すように、赤外線ＬＥＤ１１０から照射された光は反射鏡１１１及び１１２によって反射され、左目Ｐ１に照射される。そして、反射鏡１１１及び１１２から照射された光は、左目Ｐ１の全体を覆う範囲に照射される。これにより、状態５１のように瞳がカメラ１３０に対して正面を向いている場合であっても、状態５２のように瞳が横を向いている場合であっても、左目Ｐ１の瞳が光の照射の死角に位置することはない。これにより、カメラ１３０は、状態５１及び５２の何れの場合にも、左目Ｐ１の瞳を適切に撮影することができる。
【００３７】
ここで、図３では、ディスプレイ４１から所定距離離れた左目Ｐ１の位置で、反射鏡１１１及び１１２の照射範囲が接触する状態で記載しているが、光の照射の死角が発生しなければ重なるように照射範囲が設定されてもよい。また、ディスプレイ４１から左目Ｐ１までの距離である所定距離は、ディスプレイ４１の画角などを基に左目Ｐ１によりディスプレイ４１が見やすい位置に設定されることが好ましい。所定距離は、例えば、ディスプレイ４１のＺ方向の距離の所定倍などと決定される。
【００３８】
さらに、図３は、Ｘ方向及び逆Ｘ方向に対する光の照射を表す図であり、反射鏡１１１及び１１２だけでは、逆Ｙ方向に光の照射の死角が発生するおそれがある。そこで、逆Ｙ方向の光の照射の死角をなくすために反射鏡１２１及び１２２が配置される。
【００３９】
反射鏡１２１及び１２２は、ディスプレイフレーム１０の逆Ｚ方向の端部に、左目Ｐ１が間に位置するように配置される。ここで、図２では、赤外線ＬＥＤ１１０、反射鏡１１１及び１１２を一例として透過的に記載したが、赤外線ＬＥＤ１２０、反射鏡１２１及び１２２も同様に配置される。すなわち、反射鏡１２１は、赤外線ＬＥＤ１２０が照射した光の入射角及び反射角がθ１となるように配置される。また、反射鏡１２２は、赤外線ＬＥＤ１２０が照射した光の入射角及び反射角がθ２となるように配置される。
【００４０】
ここで、本実施例では、反射鏡１２１及び１２２に対する光の入射角及び反射角を、反射鏡１１１及び１１２の光の入射角及び反射角と同じ角度にした。ただし、それぞれの角度は異なってもよく、具体的には、赤外線ＬＥＤ１１０及び１２０の光の照射角に応じて、左目Ｐ１に対する光の照射の死角が発生しないように設定されることが好ましい。
【００４１】
反射鏡２１１，２１２，２２１及び２２２は、それぞれ、反射鏡１１１，１１２，１２１及び１２２のＸ方向及び逆Ｘ方向を逆にした状態で配置される。具体的には、反射鏡２１１は、図２に示すように、赤外線ＬＥＤ２１０が照射した光の入射角及び反射角がθ１となるように配置される。また、反射鏡２１２は、赤外線ＬＥＤ２１０が照射した光の入射角及び反射角がθ２となるように配置される。また、反射鏡２２１は、赤外線ＬＥＤ２２０が照射した光の入射角及び反射角がθ１となるように配置される。また、反射鏡２２２は、赤外線ＬＥＤ２２０が照射した光の入射角及び反射角がθ２となるように配置される。
【００４２】
ここで、本実施例では、反射鏡２１１，２１２，２２１及び２２２を、反射鏡１１１，１１２，１２１及び１２２のＸ方向及び逆Ｘ方向を逆にした状態で配置したが、角度や配置位置は異なってもよい。すなわち、反射鏡２１１，２１２，２２１及び２２２の配置は、赤外線ＬＥＤ２１０及び２２０の光の照射角に応じて、右目Ｐ２に対する光の照射の死角が発生しないように設定されることが好ましい。この反射鏡１１１，１１２，１２１，１２２，２１１，２１２，２２１及び２２２が、「反射部材」の一例にあたる。
【００４３】
さらに、カメラ１３０及び２３０は、図１に示すように、ディスプレイフレーム１０の内側面に配置される。カメラ１３０は、左目Ｐ１を撮影するためのカメラである。また、カメラ２３０は、右目Ｐ２を撮影するためのカメラである。
【００４４】
より詳しくは、カメラ１３０は、ディスプレイフレーム１０の逆Ｚ方向端部で、且つ、反射鏡１２１と１２２との間に配置される。カメラ１３０は、反射鏡１１１，１１２，１２１及び１２２で反射された赤外線ＬＥＤ１１０及び１２０を光源とする光に照射された左目Ｐ１を撮影する。
【００４５】
カメラ２３０は、ディスプレイフレーム１０の逆Ｚ方向端部で、且つ、反射鏡２２１と２２２との間に配置される。カメラ２３０は、反射鏡２１１，２１２，２２１及び２２２で反射された赤外線ＬＥＤ２１０及び２２０を光源とする光に照射された右目Ｐ２を撮影する。
【００４６】
ただし、カメラ１３０及び２３０の配置はこの位置に限らない。すなわち、カメラ１３０及び２３０は、光が照射された左目Ｐ１及び右目Ｐ２をそれぞれ撮影できる位置であれば他の位置に配置されてもよい。このカメラ１３０及び２３０が、「画像取得部」の一例にあたる。
【００４７】
電気回路３０は、赤外線ＬＥＤ１１０，１２０，２１０及び２２０へ電力を供給する。また、電気回路３０は、例えば、カメラ１３０及び２３０の撮影を制御する制御部や撮影された画像を取得して外部装置へ転送する転送部を有してもよい。
【００４８】
ここで、赤外線ＬＥＤ１１０及び反射鏡１１１を例に各サイズについて説明する。赤外線ＬＥＤ１１０には、電力を供給するラインや電力を受けて発光するＬＥＤなどが配置される。これに対して、反射鏡１１１は、単に光を反射するだけの部材であり、光を反射する面を有すものであればよい。そのため、反射鏡１１１は、赤外線ＬＥＤ１１０に比べてサイズを小さくすることができる。
【００４９】
このことから、図７のように赤外線ＬＥＤを目の周りに４つ配置する場合に比べて、本実施例のように反射鏡１１１，１１２，１２１，１２２，２１１，２１２，２２１及び２２２を配置することで、配置領域を小さくすることができる。すなわち、本実施例に係るヘッドマウントディスプレイは、目の周囲のフレームを細くすることができる。
【００５０】
以上に説明したように、本実施例に係る生体情報取得装置は、赤外線ＬＥＤから照射された光を反射鏡で反射させて眼球に光を照射させる。これにより、目の周囲のフレームを細くすることができ、良好な視界を確保することができる。
【００５１】
また、１つの赤外線ＬＥＤから照射された光を複数の反射鏡で反射させ眼球に光を照射することで、光の照射の死角を発生させずに赤外線ＬＥＤの数を減らすことができる。これにより、生体情報取得装置の消費電力を低減することができる。
【００５２】
また、同じアームの内部に電気回路及び赤外線ＬＥＤを実装するため、実装領域を集約することができ、生体情報取得装置の構造を容易に構成でき安価に製造することができる。また、生体情報取得装置のサイズも小型化することができる。ただし、実装領域の集約を図らなくてもよい場合、赤外線ＬＥＤは、ディスプレイフレームのＸ方向及び逆Ｘ方向の端部に配置してもよい。
【００５３】
ここで、本実施例に係るヘッドマウントディスプレイは、視線検出や虹彩情報の取得だけでなく、例えば、網膜認証などの他の生体情報の取得にも用いることができる。
【実施例２】
【００５４】
図４は、実施例２に係るヘッドマウントディスプレイの正面図である。本実施例に係るヘッドマウントディスプレイ１は、実施例１に係るヘッドマウントディスプレイから赤外線ＬＥＤをさらに少なくしたものである。以下では、単眼のゴーグルを例に説明する。ただし、本実施例に係るヘッドマウントディスプレイ１においても、メガネ型のフレームを用いることも可能である。図４においても、分かり易いように、内側面に配置された部材を透過させて表示している。
【００５５】
図４に示すように、本実施例に係るヘッドマウントディスプレイ１は、単眼のディスプレイ４０を有する。そして、ディスプレイフレーム１０は、ディスプレイ４０の外周を囲むように配置され、ディスプレイ４０を挟持する。また、図４では図示していないが、実施例１と同様にディスプレイフレーム１０には、Ｘ方向及び逆Ｘ方向の端部に支持アームが２つ接続される。このディスプレイ４０が、「表示部」の一例にあたる。
【００５６】
左目Ｐ１側の支持アームの一方には、ディスプレイフレーム１０の接続部付近に赤外線ＬＥＤ１１０が配置される。赤外線ＬＥＤ１１０は、逆Ｘ方向の端部であって左目Ｐ１の横側近傍に配置される。そして、赤外線ＬＥＤ１１０は、逆Ｙ方向に角度を付けてＸ方向に向けて、後述する反射鏡１１１，１１２，１２１及び１２２で光が反射されるように赤外線を照射する。
【００５７】
反射鏡１１１，１１２，１２１及び１２２は、実施例１と同様に配置される。反射鏡１１１，１１２，１２１及び１２２は、赤外線ＬＥＤ１１０から照射された光を反射し、左目Ｐ１へ照射する。左目Ｐ１へ照射された光は、死角を発生させずに左目Ｐ１を照らす。
【００５８】
また、右目Ｐ２側の赤外線ＬＥＤ２１０、並びに、反射鏡２１１，２１２，２２１及び２２２は、赤外線ＬＥＤ１１０、並びに、反射鏡１１１，１１２，１２１及び１２２とディスプレイフレーム１０のＸ方向の中心軸に対して対称に配置される。
【００５９】
以上に説明したように、本実施例に係る生体情報取得装置は、各眼球に対してそれぞれ１つの赤外線ＬＥＤが配置される。そして、各赤外線ＬＥＤから照射された光は対応する眼球を死角なく照らす。したがって、本実施例に係る生体情報取得装置は、実施例１に比べてより少ない赤外線ＬＥＤを用いて、より適切に眼球の撮影を行うことができる。したがって、本実施例に係る生体情報取得装置は、実施例１に比べてより消費電力を低減することができる。
【実施例３】
【００６０】
図５は、実施例３に係るヘッドマウントディスプレイの正面図である。本実施例に係るヘッドマウントディスプレイ１は、赤外線ＬＥＤからの直接光と反射鏡からの反射光とで眼球を照射する。図５においても、分かり易いように、内側面に配置された部材を透過させて表示している。
【００６１】
図５に示すように、本実施例に係るヘッドマウントディスプレイ１は、２つのディスプレイ４１及び４２を有する。そして、ディスプレイフレーム１０は、ディスプレイ４１及び４２のそれぞれの外周を囲むように配置され、ディスプレイ４１及び４２を挟持する。また、図５では図示していないが、実施例１と同様にディスプレイフレーム１０には、Ｘ方向及び逆Ｘ方向の端部に支持アームが２つ接続される。
【００６２】
赤外線ＬＥＤ１１０，１２０，２１０及び２２０、並びに、反射鏡１１２，１２２，２１２及び２２２は、図５に示すように、ディスプレイフレーム１０の内側面に配置される。
【００６３】
赤外線ＬＥＤ１１０は、ディスプレイフレーム１０のＺ方向の端部であって、反射鏡１１２との間に左目Ｐ１が位置するように、支持アーム側に配置される。赤外線ＬＥＤ１１０は、左目Ｐ１へ直接光を照射するとともに、反射鏡１１２へ光を照射する。
【００６４】
反射鏡１１２は、赤外線ＬＥＤ１１０から照射された光を反射して左目Ｐ１に照射するための鏡である。より詳しくは、反射鏡１１２は、ディスプレイフレーム１０のＺ方向の端部に、赤外線ＬＥＤ１１０との間に左目Ｐ１が位置するように配置される。反射鏡１１２は、赤外線ＬＥＤ１１０が照射した光が左目Ｐ１に照射されるように配置される。
【００６５】
ここで、赤外線ＬＥＤ１１０及び反射鏡１１２は、それぞれから左目Ｐ１へ照射された光にＸ方向及び逆Ｘ方向の死角ができないように配置される。ここで、赤外線ＬＥＤ１１０と反射鏡１１２とは位置が逆に配置されてもよい。
【００６６】
赤外線ＬＥＤ１２０は、ディスプレイフレーム１０の逆Ｚ方向の端部であって、反射鏡１２２との間に左目Ｐ１が位置するように、支持アーム側に配置される。赤外線ＬＥＤ１２０は、左目Ｐ１へ直接光を照射するとともに、反射鏡１２２へ光を照射する。
【００６７】
反射鏡１２２は、赤外線ＬＥＤ１２０から照射された光を反射して左目Ｐ１に照射するための鏡である。より詳しくは、反射鏡１２２は、ディスプレイフレーム１０の逆Ｚ方向の端部に、赤外線ＬＥＤ１２０との間に左目Ｐ１が位置するように配置される。反射鏡１２２は、赤外線ＬＥＤ１２０が照射した光が左目Ｐ１に照射されるように配置される。
【００６８】
ここで、赤外線ＬＥＤ１２０及び反射鏡１２２は、それぞれから左目Ｐ１へ照射された光にＸ方向及び逆Ｘ方向の死角ができないように配置される。ここで、赤外線ＬＥＤ１２０と反射鏡１２２とは位置が逆に配置されてもよい。
【００６９】
また、右目Ｐ２側の赤外線ＬＥＤ２１０及び２２０、並びに、反射鏡２１２及び２２２は、赤外線ＬＥＤ１１０及び１２０、並びに、反射鏡１１２及び１２２とディスプレイフレーム１０のＸ方向の中心軸に対して対称に配置される。
【００７０】
以上に説明したように、本実施例に係る生体情報取得装置は、赤外線ＬＥＤの直接光及び反射鏡との反射光を眼球に照射することで、眼球に対して死角のない光の照射を行う。この場合、従来に比べて配置する赤外線ＬＥＤの個数を減らすことができるため、従来よりも目の周囲のフレームを細くすることができ、良好な視界を確保することができる。また、従来よりも消費電力を低減することができる。
【００７１】
ここで、以上の各実施例では、ディスプレイの外周の全周を囲うようにディスプレイフレームを配置した。ただし、ディスプレイフレーム及び支持アームが各実施例における反射鏡及び赤外線ＬＥＤを搭載できれば、ディスプレイフレームは、ディスプレイの全周を囲わなくてもよい。例えば、ディスプレイフレームは、ディスプレイをＺ方向及び逆Ｚ方向から挟む構造でもよい。
【符号の説明】
【００７２】
１  ヘッドマウントディスプレイ
１０  ディスプレイフレーム
１１，１２  支持アーム
２１，２２  軸
３０  電気回路
４１，４２  ディスプレイ
１１０，１２０，２１０，２２０  赤外線ＬＥＤ
１１１，１１２，１２１，１２２，２１１，２１２，２２１，２２２  反射鏡
１３０，２３０  カメラ
Ｐ１  左目
Ｐ２  右目
【図１】
2017116768.tif 000003
【図２】
2017116768.tif 000004
【図３】
2017116768.tif 000005
【図４】
2017116768.tif 000006
【図５】
2017116768.tif 000007
【図６】
2017116768.tif 000008
【図７】
2017116768.tif 000009